(57)【要約】【目的】顧客に船を待つ間の空き時間を楽しく有意義に過ごさせることを可能にするためにも使用できる乗船チケット、及び、顧客に乗船後の船中での空き時間を楽しく有意義に過ごさせることを可能にするためにも使用できる乗船チケットを提供する。【構成】懸賞の当たり、外れ、又は等級を示す文字又は図形を印刷し、その上を比較的硬い物体で擦ることにより剥離できる不透明物質がコーティングされている懸賞籤部が、表面又は裏面の一部に形成されて成る乗船チケットである。また、乗船後の抽選結果により懸賞の当たり、外れ、又は等級が確定される４桁以上（より好ましくは７桁以上）の数字列が印刷された懸賞籤部が、表面又は裏面の一部に形成されて成る乗船チケットである。【選択図】    図１
2004202745.tif 000002
【特許請求の範囲】
【請求項１】
懸賞の当たり、外れ、又は等級を示す文字又は図形を印刷し、その上を比較的硬い物体で擦ることにより剥離できる不透明物質がコーティングされている懸賞籤部が、表面又は裏面の一部に形成されて成る懸賞籤付き乗船チケット。
【請求項２】
乗船後の抽選結果により懸賞の当たり、外れ、又は等級が確定される４桁以上の数字列が印刷された懸賞籤部が、表面又は裏面の一部に形成されて成る懸賞籤付き乗船チケット。
【発明の詳細な説明】
【０００１】
【発明の属する技術分野】
本発明は、フェリーなどの客船用の乗船チケットに関する。
【０００２】
【従来の技術】
従来より、フェリーなどの客船を利用する場合は、顧客が予め乗船チケットを購入し、これを乗船時に提示して乗船するようにしている。また、従来より、籤を自動発券する装置は提案されている（例えば、特許文献１参照）が、乗船チケットに籤を付けるという発想は全く存在していない。
【特許文献１】
特開２０００−１４９０８１
【０００３】
【発明が解決しようとする課題】
従来の乗船チケットは、乗船時に提示するために使用するだけなので、乗船チケットを購入した顧客は、購入した乗船チケットを衣服のポケットやバッグの中に収納・保管しておくだけで、それ以外のことに使用することは無かった。
【０００４】
また、従来の乗船チケットは、乗船時に提示するために使用するだけなので、乗船した後はポケットなどに死蔵されたままか顧客により廃棄されていた。
【０００５】
しかしながら、乗船チケットは、客船を利用する顧客は必ず購入するものであるから、上記のように乗船時に提示するだけしか使途が無いということは、乗船チケットが顧客の手に渡るまでの製造コストや流通コスト等から考えても無駄な面が大きいと考えられる。
【０００６】
本発明は以上のような従来技術の問題点に着目してなされたものであって、顧客に船を待つ間の空き時間を楽しく有意義に過ごさせることを可能にするためにも使用できる乗船チケット、及び、顧客に乗船後の船中での空き時間を楽しく有意義に過ごさせることを可能にするためにも使用できる乗船チケットを提供することを目的とするものである。
【０００７】
【課題を解決するための手段】
このような従来技術の課題を解決するための本発明による乗船チケットは、懸賞の当たり、外れ、又は等級を示す文字又は図形を印刷し、その上を比較的硬い物体で擦ることにより容易に剥離できる不透明物質がコーティングされている懸賞籤部が、表面又は裏面の一部に形成されて成るものである。
【０００８】
また、本発明の懸賞籤付き乗船チケットは、乗船後の抽選結果により懸賞の当たり、外れ、又は等級が確定される４桁以上（より好ましくは７桁以上）の数字列が印刷された懸賞籤部が、表面又は裏面の一部に形成されて成るものである。
【０００９】
【発明の実施の形態】
（実施形態１）  図１（ａ）は本実施形態１による外国航路用フェリーの乗船チケット１０を示す図である。図１において、１は本券が乗船チケットであることを示す文字領域、２ａ及び２ｂは発券主体を示す文字領域、３はチケット番号を示す文字領域、４は顧客の氏名を示す文字領域、５は乗船日時を示す文字領域、６は座席番号を示す文字領域、７は行先地を示す文字領域である。
【００１０】
本実施形態１においては、前記のような乗船チケット１０の表面の一部、例えば前記文字領域１の右側の位置に、スクラッチ式の懸賞籤部８が形成されている。
【００１１】
この懸賞籤部８は、例えば「１等」「２等」「３等」（又は、「当たり」「外れ」）などの籤の結果が券面に印字され、この印字の内容が直ちには見えないように、前記印字の上に例えばアルミニウム、銅、又は鉛製の薄い膜（灰色などの不透明の膜）で円形状にコーティングされて成るものである。
【００１２】
本実施形態の乗船チケット１０を購入した顧客は、船を待つまでの暇な空き時間に、例えば、コインなどの硬い物体で前記懸賞籤部８のコーティング膜を上から擦ることにより、前記コーティング膜の一部又は全部を容易に剥離させ、その下の印字内容を露出させて見ることができる。
【００１３】
図１（ｂ）はこのようにして前記懸賞籤部８のコーティング膜８ａの一部（中央部分）を剥離させて、その下の印字部分８ｂ（「１等」という文字部分）を露出させたときの状態を示すものである。このようなスクラッチ式の懸賞籤は、コインなどで擦るだけで手軽に懸賞結果を知ることができ、子供でも老人でも老若男女を問わず楽しむことができる。また、コインで擦ることは各個人が自分だけで行なえるので、興味の無い人に迷惑を掛けることなく各人が楽しむことができる。
【００１４】
上記のようにして露出された懸賞結果の「１等」「２等」「３等」（又は、「当たり」「外れ」）に対応する懸賞品（又は賞金）は、例えば、顧客が乗船した後に船内で受け取ることができる。なお、この場合の懸賞品としては、それぞれの国・地域の名産を生かした景品、又は、それぞれの国に行って直ぐに活用できるような景品とすることが望ましい。
【００１５】
このような観点からは、例えば、日本に来る韓国人旅行者への懸賞品としては、日本製電気製品、現地で使用できるタクシーチケット、お買物券などが考えられる。また、韓国に行く日本人旅行者への懸賞品としては、あかすりエステチケット、ブサン地下鉄１日乗り放題チケットなどが考えられる。さらに、韓国人旅行者及び日本人旅行者共通の懸賞品としては、乗船チケット代の無料サービス券、乗船チケット代の数％のキャッシュバック、次回フェリー利用時の割引券などが考えられる。
【００１６】
（実施形態２）  次に、図２は本発明の実施形態２による外国航路用フェリーの乗船チケット２０を示す図である。図２において、図１と共通する部分には同一の符号を付して説明を省略する。
【００１７】
本実施形態２においては、図２に示すように、乗船チケット２０の表面の右下の位置に、例えば８桁の抽選番号１１ａが印字された懸賞籤部１１が形成されている。前記乗船チケット２０に印字された抽選番号１１ａは、乗船後に船中で行なわれる抽選会の結果により「１等」「２等」「３等」（又は、「当たり」「外れ」）などのいずれかに該当するようになっている。
【００１８】
したがって、顧客は、時間を持て余す船中で、抽選会に参加して、自分の乗船チケットの抽選番号１１ａに対応する抽選結果（「１等」「２等」「３等」など）に対応する懸賞品を手に入れることができる。よって、この本実施形態２によれば、顧客は、従来は時間を持て余していた船中での空き時間を、楽しく有意義なものにすることができるようになる。
【００１９】
以上、本発明の実施形態について説明したが、本発明はこれらに限られるものではなく、様々な変更が可能である。例えば、前記の実施形態１ではスクラッチ式の懸賞籤部８を乗船チケットの表面の前記文字領域１の右側の位置に配置するようにしているが、本発明ではこれに限られることなく、乗船チケットの表面又は裏面の様々な位置に配置することができる。また、前記の実施形態２では懸賞抽選番号１１ａを印字した懸賞籤部１１を、乗船チケットの表面の右下の位置に配置するようにしているが、本発明ではこれに限られることなく、乗船チケットの表面又は裏面の様々な位置に配置することができる。
【００２０】
【発明の効果】
以上に説明したように、本発明の乗船チケットでは、「１等」「２等」「３等」（又は、「当たり」「外れ」）などの籤の結果を印字しそれを容易に剥離できる薄い膜でコーティングした懸賞籤部が形成されているので、例えば顧客がコインなどの比較的硬い物体で前記懸賞籤部のコーティング膜を上から擦るだけで、前記コーティング膜の一部又は全部を容易に剥離させてその下の印字内容（籤の結果）を露出させることができる。よって、本発明によれば、乗船チケットを購入した顧客に、船を待つまでの暇な空き時間に、コインなどで前記コーティング膜を擦って籤の結果を見るという楽しみを与えられるようになる。
【００２１】
特に、スクラッチ式の懸賞籤は、コインなどで擦るだけで手軽に懸賞結果を知ることができ、子供でも老人でも老若男女を問わず楽しむことができ、また、コインなどで擦ることは各個人が自分だけで行なえるので、興味の無い人に迷惑を掛けることなく各人が楽しむことができるので、乗船チケットを使用した弊害の無い新しい娯楽を提供できるようになる。
【００２２】
また、本発明においては、乗船チケットに、４桁以上（より好ましくは７桁以上）の抽選番号が印字された懸賞籤部を形成するようにしている。この乗船チケットに印字された抽選番号は、乗船後に船中で行なわれる抽選会の結果により例えば「１等」「２等」「３等」（又は、「当たり」「外れ」）などのいずれかに該当するようになっている。したがって、本発明によれば、顧客は、時間を持て余す船中で、抽選会に参加して、自分の乗船チケットの抽選番号に対応する抽選結果（「１等」「２等」「３等」など）に対応する懸賞品を手に入れることができ、従来は時間を持て余していた船中での空き時間を、楽しく有意義なものにすることができるようになる。
【図面の簡単な説明】
【図１】（ａ）は本発明の実施形態１による乗船チケットを示す図、（ｂ）は（ａ）の乗船チケットの懸賞籤部をコインで擦って籤内容を露出させたときの状態を示す図。
【図２】本発明の実施形態２による乗船チケットを示す図。
【符号の説明】
１，２ａ，２ｂ，３，４，５，６，７ 文字領域
８，１１ 懸賞籤部
８ａ コーティング膜
８ｂ 印字部分
１０，２０ 乗船チケット
１１ａ 抽選番号
【図１】
2004202745.tif 000003
【図２】
2004202745.tif 000004